(57)【要約】      （修正有）【課題】軽量化を実現するとともに、優れた耐湿性を有するコンデンサを提供する。【解決手段】コンデンサ１０は、コンデンサ素子１と、コンデンサ素子の両端面に設けられた一対のメタリコン電極２と、を備える。一対のメタリコン電極は、コンデンサ素子の両端面と側面との境界部を被覆する。コンデンサ素子は、本体１１と本体の側面の少なくとも一部を被覆する外装材１２と、を備えることが好ましく、コンデンサ素子の少なくとも一部を被覆する金属箔４を備えることが更に好ましい。【選択図】図１
2020136518.tif 000002
【特許請求の範囲】
【請求項１】
コンデンサ素子と、
前記コンデンサ素子の両端面に設けられた一対のメタリコン電極と、を備え、
前記一対のメタリコン電極は、前記コンデンサ素子の前記両端面と側面との境界部を被覆する
コンデンサ。
【請求項２】
前記コンデンサ素子は、本体と前記本体の側面の少なくとも一部を被覆する外装材と、を備え、
前記外装材は、無延伸フィルムで形成される、
請求項１に記載のコンデンサ。
【請求項３】
前記コンデンサ素子の少なくとも一部を被覆する金属箔を更に備える、
請求項１又は２に記載のコンデンサ。
【請求項４】
前記コンデンサ素子と前記金属箔との間に設けられる絶縁性保護材を更に備える、
請求項３に記載のコンデンサ。
【請求項５】
前記絶縁性保護材は、絶縁性フィルム、ガスバリアフィルム、及びプリプレグの硬化物からなる群から選択される少なくとも一種を含む、
請求項４に記載のコンデンサ。
【請求項６】
前記金属箔の少なくとも一部を被覆する熱収縮チューブを更に備える、
請求項３から５のいずれか一項に記載のコンデンサ。
【請求項７】
コンデンサ素子の両端面に、前記コンデンサ素子の前記両端面と側面との境界部を被覆する一対のメタリコン電極を形成する工程を含む、
コンデンサの製造方法。
【請求項８】
前記コンデンサ素子は本体と外装材とを備え、
前記本体の側面の少なくとも一部を前記外装材で被覆する工程を更に含む、
請求項７に記載のコンデンサの製造方法。
【請求項９】
前記外装材は、無延伸フィルムで形成される、
請求項８に記載のコンデンサの製造方法。
【請求項１０】
前記外装材を粗化する工程を更に含む、
請求項８に記載のコンデンサの製造方法。
【発明の詳細な説明】
【技術分野】
【０００１】
本開示は、一般にコンデンサ及びコンデンサの製造方法に関し、より詳細にはコンデンサ素子を備えるコンデンサ及びコンデンサ素子を備えるコンデンサの製造方法に関する。
【背景技術】
【０００２】
コンデンサは、電荷を蓄えたり、放出したりする受動部品であり、電子機器の部品として用いられる。コンデンサは、吸湿により不良が生じることがあるため、優れた耐湿性を有するコンデンサが求められている。例えば、特許文献１には、樹脂製のケースにコンデンサを収容し、ケース内に絶縁性のモールド樹脂を充填したケースモールド型コンデンサが開示されている。
【先行技術文献】
【特許文献】
【０００３】
【特許文献１】特開２００８−２５１５９５号公報
【発明の概要】
【発明が解決しようとする課題】
【０００４】
特許文献１では、ある程度の耐湿性を有するフィルムコンデンサを得ることができるものの、軽量化は配慮されていない。
【０００５】
本開示の目的は、軽量化を実現するとともに、優れた耐湿性を有するコンデンサ及びコンデンサの製造方法を提供することである。
【課題を解決するための手段】
【０００６】
本開示の一態様に係るコンデンサは、コンデンサ素子と、前記コンデンサ素子の両端面に設けられた一対のメタリコン電極と、を備え、前記一対のメタリコン電極は、前記コンデンサ素子の前記両端面と側面との境界部を被覆する。
【０００７】
本開示の一態様に係るコンデンサの製造方法は、コンデンサ素子の両端面に、前記コンデンサ素子の前記両端面と側面との境界部を被覆する一対のメタリコン電極を形成する工程を含む。
【発明の効果】
【０００８】
本開示によれば、軽量化を実現するとともに、優れた耐湿性を有するコンデンサを提供することができる。
【図面の簡単な説明】
【０００９】
【図１】図１Ａは、本開示の一実施形態に係るコンデンサの概略断面図である。図１Ｂは、本開示の他の実施形態に係るコンデンサの概略断面図である。
【図２】図２は、本開示の一実施形態に係るコンデンサの斜視図である。
【発明を実施するための形態】
【００１０】
１．概要
図１Ａ及び図１Ｂに示すように、本実施形態に係るコンデンサ１０は、コンデンサ素子１と、コンデンサ素子１の両端面に設けられた一対のメタリコン電極２（２１，２２）と、を備える。一対のメタリコン電極２（２１，２２）は、コンデンサ素子１の両端面と側面との境界部を被覆する。
【００１１】
コンデンサ１０は、特許文献１に記載されているような外装ケース及び外装ケース内に充填されたモールド樹脂を備えていない。すなわち、コンデンサ１０は、いわゆるケースレス構造を採用している。そのため、コンデンサ１０は、少なくとも従来の外装ケースに相当する分だけ、軽量化を実現することができる。
【００１２】
また、コンデンサ１０は、コンデンサ素子１の両端面と側面との境界部を被覆する一対のメタリコン電極２（２１，２２）を備える。そのため、コンデンサ素子の両端面にのみメタリコン電極を形成する場合と比較して、コンデンサ素子１の両端面と側面との境界部からの水蒸気などのガスが侵入することを防ぐことができ、コンデンサ素子１の吸湿を防止しやすくなる。これにより、コンデンサ１０が水蒸気などのガスによって劣化することを防ぐことができる。
【００１３】
２．詳細
以下、図１Ａ、図１Ｂ、及び図２を参照して本実施形態に係るコンデンサ１０について詳細に説明する。図２は、本実施形態に係るコンデンサ１０の斜視図である。図１Ａは、図２の切断線Ｘ−Ｘにおけるコンデンサ１０の断面図である。図１Ｂは、図１Ａに示すコンデンサ１０の変形例である。
【００１４】
本実施形態に係るコンデンサ１０は、いわゆるケースレス構造を採用しており、特許文献１に記載されているような外装ケースを備えていない。つまり、コンデンサ１０は、ケースレスコンデンサである。図１Ａ及び図１Ｂに示すように、コンデンサ１０は、コンデンサ素子１と、コンデンサ素子１の両端面に設けられた一対のメタリコン電極２（２１，２２）と、を備える。
【００１５】
まず、メタリコン電極２（２１，２２）について説明する。図１Ａ及び１Ｂに示すように、メタリコン電極２は、コンデンサ素子１の両端面のそれぞれに設けられ、後述するコンデンサ素子１の第１導電層（第１内部電極）及び第２導電層（第２内部電極）と電気的に接続されている。すなわち、コンデンサ１０は、一対のメタリコン電極２１，２２を有する。なお、コンデンサ素子１の両端面とは、後述するコンデンサ素子１における複数の第１金属化フィルム及び複数の第２金属化フィルムの断面からなる端面を意味する。また、コンデンサ素子の側面とは、コンデンサ素子１の端面同士を結ぶ周面を意味する。
【００１６】
メタリコン電極２（２１，２２）は、コンデンサ素子１の両端面と側面との境界部を被覆する。図１Ａ及び図１Ｂに示すように、一対のメタリコン電極２のうちのメタリコン電極２１はコンデンサ素子１の一方の端面に形成され、メタリコン電極２２はコンデンサ素子１の他方の端面に形成される。メタリコン電極２（２１，２２）は、コンデンサ素子１の両端面と側面との境界部の全周を被覆し、キャップ状に形成されている。コンデンサ素子１の両端面は、後述するように、第１金属化フィルム及び第２金属化フィルムの断面を複数含む。そのため、メタリコン電極２をコンデンサ素子１の両端面に形成するだけでは、メタリコン電極及びコンデンサ素子１の両端面と側面との境界部の間から水蒸気などのガスが入り込むおそれがある。このような箇所から水分やガスが入り込むと、第１金属化フィルム及び第２金属化フィルムの断面に水分やガスが到達してしまい、コンデンサ１０に不良が生じたり、コンデンサ１０の寿命が短くなったりするおそれがある。しかし、図１Ａ及び図１Ｂに示すように、メタリコン電極でコンデンサ素子１の両端面と側面との境界部を被覆することで、この境界部からのガスや水分の侵入を防ぐことができ、コンデンサ１０の耐湿性を向上することができる。
【００１７】
一対のメタリコン電極２（２１，２２）は互いに接触しないように形成される。すなわち、メタリコン電極２１とメタリコン電極２２とは互いに接触しないように形成される。後述のように、メタリコン電極２は、メタリコン（金属溶射）によって形成される。そのため、例えば、コンデンサ素子１の側面のメタリコン電極２で被覆しない部分を、接着性を有するテープなどを用いてマスキングしてから、金属を溶射し、その後マスキングを除去することで、メタリコン電極２１，２２同士が接触しないように形成することができる。これにより、ショート不良を防止することができる。メタリコン電極２１のコンデンサ素子１の側面上の端部と、メタリコン電極２２のコンデンサ素子１の側面上の端部との最短距離Ａは、１０ｍｍ以上であることが好ましい。この場合、メタリコン電極２１，２２同士が接触してショート不良することをより防止しやすくなる。メタリコン電極２１のコンデンサ素子１の側面上の端部と、メタリコン電極２２のコンデンサ素子１の側面上の端部との最短距離Ａは、２０ｍｍ以上であることがより好ましい。
【００１８】
メタリコン電極２のコンデンサ素子１の側面上の端部及びコンデンサ素子１の端面と側面との境界部の間の距離Ｂは、２．５ｍｍ以上であることが好ましい。すなわち、メタリコン電極２は、コンデンサ素子１の両端側の側面の全周を幅２．５ｍｍ以上被覆することが好ましい。この場合、コンデンサ素子１の両端面と側面との境界部からガスや水分が侵入することをより防ぎやすくなる。メタリコン電極２のコンデンサ素子１の側面上の端部及びコンデンサ素子１の端面と側面との境界部の間の距離Ｂは、５．０ｍｍ以上であることがより好ましい。
【００１９】
メタリコン電極２は、メタリコン（金属溶射）により形成される外部電極である。メタリコン電極２は、メタリコンにより、コンデンサ素子１の両端面に、コンデンサ素子１の両端面と側面との境界部を被覆するように形成される。メタリコン電極２は、コンデンサ素子１の第１導電層（第１内部電極）及び第２導電層（第２内部電極）と電気的に接続されている。
【００２０】
例えば、後述する巻回型コンデンサ素子を用いる場合、扁平化された巻回型コンデンサ素子の両端に位置する二つの面にメタリコンにより一対のメタリコン電極２１，２２を形成する。巻回型コンデンサ素子の両端に位置する二つの面は、第１金属化フィルム及び複数の第２金属化フィルムの断面を含む。そのため、巻回型コンデンサ素子の両端に位置する二つの面にメタリコン電極２１，２２を形成することで、メタリコン電極２１，２２と第１導電層（第１内部電極）及び第２導電層（第２内部電極）とをそれぞれ電気的に接続することができる。
【００２１】
一方、後述する積層型コンデンサ素子を用いる場合、複数の第１金属化フィルム及び複数の第２金属化フィルムの断面からなる一対の面に、メタリコンにより一対のメタリコン電極２１，２２を形成する。一対の面とは、二つの面が積層型コンデンサ素子の両端に位置することを意味する。積層型コンデンサ素子の両端に位置する二つの面は、複数の第１金属化フィルム及び複数の第２金属化フィルムの断面からなる。そのため、積層型コンデンサ素子の両端に位置する二つの面にメタリコン電極２１，２２を形成することで、メタリコン電極２１，２２と第１導電層（第１内部電極）及び第２導電層（第２内部電極）とをそれぞれ電気的に接続することができる。
【００２２】
メタリコン（金属溶射）の方法は特に限定されないが、例えば、プラズマ溶射法、フレーム溶射法、及びアーク溶射法を用いることができる。メタリコン電極２を形成する際には、プラズマ溶射法及びフレーム溶射法を用いることが好ましい。この場合、形成されるメタリコン電極２の層の均質性を高めることができ、水分やガスを透過させにくくすることができる。また、プラズマ溶射法及びフレーム溶射法では、メタリコン電極２の材料として用いられる金属材料の温度をより高くすることができるため、コンデンサ素子１の側面にメタリコン電極２を形成しやすくなるとともに、コンデンサ素子１とメタリコン電極２との密着性が高くなりやすい。これは、金属材料の温度を高めることで、コンデンサ素子１の側面に金属材料が付着した際に、コンデンサ素子１の側面が溶射された高温の金属材料の熱により僅かに溶融されてコンデンサ素子１の側面に微小な凹凸が生じることで、金属材料が凹凸に入り込み、コンデンサ素子１の側面との密着性が向上するためであると考えられる。メタリコン電極２を形成する際の金属材料の温度は、コンデンサ素子１の側面の材料の融点よりも高くすることが好ましい。また、後述のように、コンデンサ素子１が外装材１２を有する場合には、金属材料の温度は、外装材１２の融点よりも高くすることが好ましい。これにより、メタリコン電極２とコンデンサ素子１の側面との密着性をより高めることができる。
【００２３】
メタリコン電極２を形成する際の金属材料の温度は、１２００℃以下であることが好ましい。この場合、溶射された金属材料の熱によってコンデンサ素子１の両端面に不良が生じることを防止しやすくなる。メタリコン電極２を形成する際の金属材料の温度は、１０００℃以下であることがより好ましい。
【００２４】
メタリコン電極２の材料は特に限定されないが、例えば亜鉛、銅、アルミニウムを含む。メタリコン電極２は、一種類の金属のみで形成されてもよく、二種類以上の金属の混合物によって形成されていてもよい。
【００２５】
次に、コンデンサ素子１について説明する。コンデンサ素子１は、プラスチックフィルムを誘電体として有する。コンデンサ素子１は、巻回型コンデンサ素子でもよいし、積層型コンデンサ素子でもよい。以下に、巻回型コンデンサ素子及び積層型コンデンサ素子の一例を示す。
【００２６】
巻回型コンデンサ素子は、例えば、次のようにして製造することができる。まず、第１誘電体フィルムと第１導電層とを有する第１金属化フィルム及び第２誘電体フィルムと第２導電層とを有する第２金属化フィルムを用意する。第１誘電体フィルム及び第２誘電体フィルムは、長尺物である。第１誘電体フィルムの片面に、第１導電層が形成されている。また、第２誘電体フィルムの片面に、第２導電層が形成されている。
【００２７】
第１誘電体フィルム及び第２誘電体フィルムは、例えばポリプロピレン、ポリエチレンテレフタレート、ポリエチレンナフタレート、ポリフェニルサルファイド又はポリスチレンなどで形成されている。第１導電層及び第２導電層は、蒸着法又はスパッタリング法などの方法で形成される。第１導電層及び第２導電層は、例えばアルミニウム、亜鉛及びマグネシウムなどで形成されている。
【００２８】
次に、第１導電層と第２導電層との間に、第１誘電体フィルム又は第２誘電体フィルムが介在するように、第１金属化フィルム及び第２金属化フィルムの各々の２つの長辺を揃えて重ねる。このように第１金属化フィルム及び第２金属化フィルムを重ねた状態で巻き取ることによって、円柱状の巻回体を得ることができる。次にこの巻回体の側面を両側から押圧して、断面長円状の巻回体に加工する。これにより、巻回型コンデンサ素子を得ることができる。この断面長円状の巻回体における両端面は、複数の第１金属化フィルム及び複数の第２金属化フィルムの断面からなる面であり、この面がコンデンサ素子１の両端面となる。このように、コンデンサ素子を扁平化することで、省スペース化を図ることができる。なお、巻回型コンデンサ素子の側面は、例えば、電気的絶縁性を有する保護フィルムで被覆されていてもよい。また、巻回体の側面における最外層に位置する第１金属化フィルムにおける第１誘電体フィルムが保護フィルムとして機能していてもよい。
【００２９】
一方、積層型コンデンサ素子は、例えば、次のようにして製造することができる。まず、第１誘電体フィルムと第１導電層とを有する第１金属化フィルム及び第２誘電体フィルムと第２導電層とを有する第２金属化フィルムを用意する。第１誘電体フィルム及び第２誘電体フィルムは、同じ大きさの矩形状である。第１誘電体フィルムの片面に、第１導電層が形成されている。また、第２誘電体フィルムの片面に、第２導電層が形成されている。
【００３０】
第１誘電体フィルム及び第２誘電体フィルムは、例えばポリプロピレン、ポリエチレンテレフタレート、ポリエチレンナフタレート、ポリフェニルサルファイド又はポリスチレンなどで形成されている。第１導電層及び第２導電層は、蒸着法又はスパッタリング法などの方法で形成される。第１導電層及び第２導電層は、例えばアルミニウム、亜鉛及びマグネシウムなどで形成されている。
【００３１】
次に、第１導電層と第２導電層との間に、第１誘電体フィルム又は第２誘電体フィルムが介在するように、第１金属化フィルム及び第２金属化フィルムの四辺を揃えて交互に重ねる。このように、複数の第１金属化フィルム及び第２金属化フィルムを積層して一体化することによって、積層体を得ることができる。この積層体は、外部電極が形成される一対の面を除いて、例えば、電気的絶縁性を有する保護フィルムで被覆されていてよい。コンデンサ素子１が積層型コンデンサ素子である場合、外部電極が形成される一対の面以外の面を、コンデンサ素子１の側面という。なお、この積層体において外部電極は、複数の第１金属化フィルム及び複数の第２金属化フィルムの断面からなる面に形成される。これにより、積層型コンデンサ素子を得ることができる。
【００３２】
巻回型コンデンサ素子又は積層型コンデンサ素子をコンデンサ素子１としてそのまま用いてもよい。また、巻回型コンデンサ素子及び積層型コンデンサ素子をコンデンサ素子１の本体１１とし、本体１１の側面の少なくとも一部を外装材１２で被覆することで、コンデンサ素子１を得てもよい。コンデンサ素子１は、本体１１と、本体１１の側面の少なくとも一部を被覆する外装材１２とを備えることが好ましい。外装材１２は、電気的絶縁性を有する。外装材１２は、フィルム状であることが好ましい。
【００３３】
外装材１２は、本体１１の側面において、メタリコン電極２によって被覆される箇所を被覆することが好ましい。すなわち、外装材１２は、本体１１の両端面側の側面の全周を被覆することが好ましい。この場合、メタリコン電極２は、本体１１の側面に直接形成されずに、外装材１２上に形成されるため、メタリコン電極２とコンデンサ素子１の側面との密着性を高めやすくなる。
【００３４】
上述のように、巻回型コンデンサ素子及び積層型コンデンサ素子の側面は、電気的絶縁性を有する保護フィルム（図示せず）で被覆されていてもよい。すなわち、コンデンサ素子１の本体１１の側面は保護フィルムで被覆されていてもよい。この場合、保護フィルムの上から外装材１２で本体１１の側面の少なくとも一部を被覆してもよい。保護フィルムの材料は特に限定されず、電気的絶縁性を有するフィルムであればよい。
【００３５】
外装材１２で本体１１の側面全体を被覆する場合について説明する。外装材１２は、図１Ａに示すように、本体１１の側面全体を被覆していてもよい。この場合、本体１１の側面は保護フィルムで被覆されていてもよく、保護フィルムで被覆されていなくてもよい。本体１１の側面が保護フィルムで被覆されている場合、外装材１２は、保護フィルムの上から本体１１の側面を被覆する。本体１１の側面が保護フィルムで被覆されていない場合、外装材１２は、本体１１の側面、すなわち巻回型コンデンサ素子又は積層型コンデンサ素子の側面を直接被覆するため、保護フィルムとしての機能も果たす。
【００３６】
次に、外装材１２で本体１１の側面の一部を被覆する場合について説明する。外装材１２は、図１Ｂに示すように、本体１１の側面において、メタリコン電極２によって被覆される箇所を被覆していてもよい。すなわち、外装材１２（１２１，１２２）は、本体１１の両端面側の側面の全周を被覆していてもよい。図１Ｂでは、外装材１２１は、メタリコン電極２１が形成される側の側面を被覆し、外装材１２２は、メタリコン電極２２が形成される側の側面を被覆する。この場合、本体１１の側面は保護フィルムで被覆されていてもよく、保護フィルムで被覆されていなくてもよい。ただし、ショート不良を防ぐ観点から、本体１１の側面のうち、少なくとも外装材１２で被覆されてない部分は、保護フィルムによって被覆されることが好ましい。すなわち、例えば、保護フィルムで本体１１の側面全体を被覆してから、更に本体１１の両端面側の側面を外装材１２で被覆してもよく、本体１１の側面における両端面側以外の箇所を保護フィルムで被覆してから、両端面側の側面を外装材１２で被覆してもよい。
【００３７】
図１Ｂに示すように、外装材１２が被覆する本体１１の両端面側の側面の幅Ｃは、メタリコン電極２が被覆するコンデンサ素子１１の両端面側の側面の幅Ｂよりも大きいことが好ましい。この場合、メタリコン電極２とコンデンサ素子１の側面との密着性を高めやすくなる。
【００３８】
外装材１２の材料は特に限定されず、電気的絶縁性を有する材料で形成されていればよい。外装材１２の材料の例は、ポリプロピレン、ポリエチレン、ポリエチレンテレフタレート（ＰＥＴ）、ポリブタジエン、及びナイロンを含む。
【００３９】
本体１１の側面が保護フィルムで被覆されている場合、外装材１２の融点は、保護フィルムの融点よりも低いことが好ましい。この場合、上述したように、金属溶射によってコンデンサ素子１の側面にメタリコン電極２が形成される際に、外装材１２の表面が溶射された金属の熱によって溶融しやすくなり、コンデンサ素子１とメタリコン電極２との密着性が高くなりやすい。さらに、保護フィルムの融点が外装材１２の融点も高いことで、外装材１２の表面が熱によって溶融した場合でも、保護フィルムの表面は溶融しにくくなり、熱によってコンデンサ素子１に不良が生じるのを防ぎやすくなる。
【００４０】
外装材１２は、フィルム状であることが好ましい。この場合、本体１１を容易に外装材１２で被覆することができる。
【００４１】
外装材１２は、無延伸フィルムで形成されることが好ましい。この場合、メタリコン電極２と外装材１２との密着性がより向上するため、メタリコン電極２とコンデンサ素子１の側面との密着性が高まり、水分やガスの透過をより防止しやすくなる。上述のように、本体１１の側面全体を外装材１２で被覆する場合には、無延伸フィルムで本体１１の側面全体を被覆してもよく、フィルムの一部を２軸延伸などによって延伸加工し、一部を延伸せずに無延伸のままにしたフィルムを用いてもよい。このように一部のみが無延伸のフィルムを用いる場合には、本体１１の側面において、メタリコン電極２によって被覆される箇所が無延伸のフィルムによって被覆されるようにすることが好ましい。例えばコンデンサ素子１の長さと同じ長さを有する長尺状のフィルムの両端部を延伸せずに中央部分のみを延伸し、フィルムの両端部の無延伸部分がコンデンサ素子１の両端側に位置するようにフィルムを本体１１の側面に巻き付けることによって、外装材１２で本体１１を被覆することができる。
【００４２】
外装材１２は、粗化されていることが好ましい。この場合、メタリコン電極２と外装材１２との密着性がより向上するため、メタリコン電極２とコンデンサ素子１の側面との密着性が高まり、水分やガスの透過をより防止しやすくなる。粗化の方法は特に限定されず、例えば、ブラスト法及びエッチング法を用いることができる。外装材１２として用いるフィルムをあらかじめ粗化した後に、本体１１に巻き付けて本体１１を被覆してもよい。また、外装材１２で本体１１を被覆した後に、外装材１２の側面（すなわちコンデンサ素子１の側面）に粗化処理を行ってもよい。上述のように、本体１１の側面全体を外装材１２で被覆する場合には、粗化されたフィルムで本体１１の側面全体を被覆してもよく、外装材１２で本体１１を被覆した後に、外装材１２全体を粗化処理してもよい。また、一部のみが粗化されたフィルムで本体１１の側面全体を被覆してもよく、外装材１２で本体１１を被覆した後に、外装材１２の一部のみを粗化処理してもよい。一部のみを粗化したフィルムを用いる場合には、本体１１の側面において、メタリコン電極２によって被覆される箇所が粗化されたフィルムによって被覆されるようにすることが好ましい。例えばコンデンサ素子１の長さと同じ長さを有する長尺状のフィルムの両端部のみを粗化し、フィルムの両端部の粗化された部分がコンデンサ素子１の両端側に位置するようにフィルムを本体１１の側面に巻き付けることによって、外装材１２で本体１１を被覆することができる。もちろん、外装材１２で本体１１の側面全体を被覆した後に、メタリコン電極２が形成される両端側の側面のみを粗化してもよい。
【００４３】
コンデンサ１０は、コンデンサ素子１の少なくとも一部を被覆する金属箔４を更に備えることが好ましい。コンデンサ素子１の表面の少なくとも一部を、金属箔４を用いて被覆することで、コンデンサ素子１の表面からの吸湿を防止しやすくなる。
【００４４】
金属箔４の種類は特に限定されず、メタリコン電極２よりも水蒸気などの水分やガスを透過させにくいものであればよい。コンデンサ素子１が外装材１２を有する場合には、外装材１２よりも水蒸気などの水分やガスを透過させにくい材料を用いることが好ましい。また、コンデンサ素子１の本体１１が保護フィルムを有する場合には、保護フィルムよりも水蒸気などの水分やガスを透過させにくい材料を用いることが好ましい。金属箔４の材料の具体例は、銅、アルミニウム、鉄、ステンレス鋼、マグネシウム、銀、金、ニッケル、及び白金を含む。金属箔４として、樹脂層が金属箔の片面に設けられた樹脂付き金属箔を用いてもよい。
【００４５】
コンデンサ１０は、コンデンサ素子１と金属箔４との間に設けられる絶縁性保護材５を更に備えることが好ましい。コンデンサ素子１を、金属箔４で被覆するとともに、更に絶縁性保護材５で被覆することで、コンデンサ素子１の表面からの吸湿をより防止しやすくなる。
【００４６】
絶縁性保護材５の材料は特に限定されず、絶縁性を有する材料であればよい。絶縁性保護材５の材料として、メタリコン電極２よりも水蒸気などの水分やガスを透過させにくいものを用いることが好ましい。この場合、コンデンサ１０の耐湿性をより向上させることができる。コンデンサ素子１が外装材１２を有する場合には、外装材１２よりも水蒸気などの水分やガスを透過させにくい材料を用いることが好ましい。また、コンデンサ素子１の本体１１が保護フィルムを有する場合には、保護フィルムよりも水蒸気などの水分やガスを透過させにくい材料を用いることが好ましい。
【００４７】
絶縁性保護材５は、絶縁性フィルム、ガスバリアフィルム、及びプリプレグの硬化物からなる群から選択される少なくとも一種を含むことが好ましい。この場合、コンデンサ素子１の表面からの吸湿をより防止しやすくなり、コンデンサ１０の耐湿性をより向上させることができる。
【００４８】
絶縁性フィルムは、特に限定されず、絶縁性を有するフィルムであればよい。絶縁性フィルムの材質の具体例は、ポリプロピレン、ポリエチレン、及びポリイミド等を含む。
【００４９】
ガスバリアフィルムは、特に限定されず、絶縁性を有し、かつ水蒸気などのガスを透過させにくい性質を有するフィルムであればよい。ガスバリアフィルムとして、基材フィルムと、基材フィルム上に形成されたガスバリア層と、を有するフィルムを用いることができる。基材フィルムは、特に限定されず、例えば、ポリエチレンテレフタレート（ＰＥＴ）フィルム（融点２６５℃、ガラス転移点８０℃（ＴＭＡ法））、ポリフェニレンサルファイド（ＰＰＳ）フィルム（融点２８０℃、ガラス転移点１００℃）、ポリエーテルサルフォン（ＰＥＳ）フィルム（ガラス転移点２２０℃）、ポリエーテルイミド（ＰＥＩ）フィルム（ガラス転移点２２０℃）、及びポリエーテルエーテルケトン（ＰＥＥＫ）フィルム（融点３４０℃、ガラス転移点１４０℃）などを用いることができる。これらのフィルムは、耐熱性にも優れているため、コンデンサ１０の耐熱性を高めることもできる。なお、上記の融点及びガラス転移点は、ＤＳＣ法（昇温速度：１０℃／ｍｉｎ）によるデータである。ガスバリア層は、特に限定されないが、例えば、酸化ケイ素及び酸化アルミニウムの少なくともいずれかを含む。ガスバリア層は、例えば、蒸着法、スパッタリング法、又はプラズマＣＶＤ法などにより形成可能である。
【００５０】
プリプレグの硬化物は、プリプレグが完全に硬化し、Ｃ−ステージ状態にあることを意味する。Ｃ−ステージとは不溶不融の状態であり、硬化反応の最終状態である。プリプレグは、補強材と熱硬化性樹脂組成物とを含む。
【００５１】
補強材は、特に限定されないが、例えば有機繊維又は無機繊維の織布や不織布であってよい。補強材の具体例は、ガラスクロス及びＰＥＴ繊維の不織布を含む。
【００５２】
熱硬化性樹脂組成物は、特に限定されず、硬化反応前の常温（２５℃）において、液状である熱硬化性樹脂を含有する組成物を用いることができる。熱硬化性樹脂は特に限定されないが、例えば、エポキシ樹脂、不飽和ポリエステル樹脂及びポリイミド樹脂などが挙げられる。これらの中ではエポキシ樹脂が好ましい。エポキシ樹脂は、耐熱性、耐薬品性、強靭性、電気絶縁性及び接着性などの特性に優れている。熱硬化性樹脂組成物の硬化温度は、１２０℃以下であることが好ましい。この場合、プリプレグを硬化させる際の熱によるコンデンサ素子１への影響を小さくすることができる。熱硬化性樹脂組成物は、無機充填材を含有してもよい。無機充填材は特に限定されないが、例えば、シリカ、アルミナ、窒化珪素、窒化硼素、マグネシア、ベーマイト、炭酸カルシウム、水酸化アルミニウム及びタルクなどが挙げられる。また、熱硬化性樹脂組成物は、必要に応じて、公知の硬化剤及び触媒などを含有してもよい。
【００５３】
絶縁性保護材５は、コンデンサ素子１と金属箔４との間に設けられることが好ましい。本実施形態では、図１Ａ及び図１Ｂに示すように、絶縁性保護材５は、コンデンサ素子１と金属箔４との間に設けられ、コンデンサ素子１の表面全体とメタリコン電極２の一部を被覆する。このように、絶縁性保護材５が、コンデンサ素子１と金属箔４との間に設けられることで、コンデンサ素子１の表面からの吸湿をより防止しやすくなる。
【００５４】
絶縁性保護材５は、金属箔４とメタリコン電極２とを電気的に絶縁することが好ましい。上述のように、本実施形態では、絶縁性保護材５は、コンデンサ素子１の表面全体とメタリコン電極２の側面を被覆している。そのため、絶縁性保護材５の上からコンデンサ素子１を被覆するための金属箔４を設けても、金属箔４とメタリコン電極２とが電気的に絶縁され、短絡を防止することができる。
【００５５】
絶縁性保護材５は、コンデンサ素子１の両端面と側面との境界部を被覆することが好ましい。本実施形態では、後述する熱収縮チューブ６がコンデンサ素子１の両端面と側面との境界部を被覆しており、絶縁性保護材５は、コンデンサ素子１の両端面と側面との境界部を被覆していない。しかし、例えば、コンデンサ１０が熱収縮チューブ６を有さない場合、及び熱収縮チューブ６がコンデンサ素子１の両端面と側面との境界部を被覆しない場合、絶縁性保護材５は、コンデンサ素子１の両端面と側面との境界部を被覆することが好ましい。これにより、コンデンサ素子１の両端面と側面との境界部から蒸気などの水分やガスが侵入することを防ぐことができ、コンデンサ１０はより優れた耐湿性を有しうる。
【００５６】
図１Ａ及び図１Ｂでは、一つ絶縁性保護材５が、コンデンサ素子１の表面全体と一対のメタリコン電極２１，２２の側面を被覆しているがこれに限られない。一対の絶縁性保護材５を用いて、メタリコン電極２１の側面及びコンデンサ素子１のメタリコン電極２１側の表面の一部と、メタリコン電極２２の側面及びコンデンサ素子１のメタリコン電極２２側の表面の一部と、をそれぞれ被覆するようにしてもよい。この場合でも、金属箔４とメタリコン電極２１，２２各々とが電気的に絶縁されるため、短絡を防止することができる。ただし、製造工程を簡素化する観点及びコンデンサ１０の耐湿性を向上させる観点から、一つの絶縁性保護材５が、図１Ａ及び図１Ｂに示すように、コンデンサ素子１の表面全体とメタリコン電極２１，２２の側面とを被覆することが好ましい。
【００５７】
コンデンサ１０が絶縁性保護材５を有し、金属箔４とメタリコン電極２とが絶縁性保護材５によって電気的に絶縁されている場合、金属箔４は、メタリコン電極２とコンデンサ素子１との境界部を被覆していることが好ましい。すなわち、図１Ａ及び図１Ｂに示すように、金属箔４の端部は、メタリコン電極２とコンデンサ素子１との境界部よりも外側に延伸し、絶縁性保護材５を介してメタリコン電極２とコンデンサ素子１との境界部を被覆していることが好ましい。この場合、メタリコン電極２とコンデンサ素子１との境界部から水蒸気などの水分やガスが入り込むことを防ぎやすくなるため、コンデンサ１０の耐湿性を更に向上させることができる。
【００５８】
コンデンサ１０が絶縁性保護材５を有さない場合、金属箔４は、メタリコン電極２１，２２と接触しないように設けられる。これにより、短絡を防止することができる。この場合、例えば、メタリコン電極２１とコンデンサ素子１との境界部からメタリコン電極２２とコンデンサ素子１との境界部までの距離よりも幅の短い金属箔４を用いて、コンデンサ素子１の中央部分のみを、メタリコン電極２１，２２と接触しないように金属箔４で被覆することができる。メタリコン電極２１とコンデンサ素子１との境界部と、金属箔４のメタリコン電極２１側の端部との距離は３ｍｍ以上であることが好ましい。また、メタリコン電極２２とコンデンサ素子１との境界部と、金属箔４のメタリコン電極２２側の端部との距離は３ｍｍ以上であることが好ましい。この場合、メタリコン電極２１，２２と金属箔４との接触をより防止しやすくなる。メタリコン電極２１とコンデンサ素子１との境界部と、金属箔４のメタリコン電極２１側の端部との距離は５ｍｍ以上であることがより好ましい。また、メタリコン電極２２とコンデンサ素子１との境界部と、金属箔４のメタリコン電極２２側の端部との距離は５ｍｍ以上であることがより好ましい。
【００５９】
コンデンサ１０は、金属箔４の少なくとも一部を被覆する熱収縮チューブ６を更に備えることが好ましい。熱収縮チューブ６は、チューブ状に形成された樹脂部材であり、熱を加えると収縮する性質を有する。
【００６０】
金属箔４は、外部に露出していないことが好ましい。すなわち、熱収縮チューブは、金属箔４の全体を被覆することが好ましい。図１Ａ及び図１Ｂに示すように、金属箔４は、露出しないように絶縁性保護材５及び熱収縮チューブ６の間に配置されていることが好ましい。このように、金属箔４を外部に露出させないことで、金属箔４とメタリコン電極２とが接触して短絡することを防ぐことができる。また、金属箔４が外部に露出しないことで、コンデンサ１０の耐湿性を特に向上させることができる。
【００６１】
熱収縮チューブ６は、例えば、熱収縮チューブをコンデンサ１０の長さに合わせて切り取り、切り取った熱収縮チューブ６をコンデンサ１０にはめて加熱することで、熱収縮チューブ６が収縮し、これによってコンデンサ１０に熱収縮チューブ６を密着させることができる。熱収縮チューブ６の材質、厚み、及び大きさは特に限定されず、コンデンサ１０の大きさに合わせて任意のものを用いることができる。コンデンサ１０が熱収縮チューブ６を有することで、コンデンサ素子１の内部に水蒸気などの水分やガスが侵入することを防ぐことができ、コンデンサ１０はより優れた耐湿性を有しうる。なお、熱収縮チューブ６は、コンデンサ１０の最外層に装着されることが好ましい。
【００６２】
熱収縮チューブ６は、コンデンサ素子１の両端面と側面との境界部を被覆することが好ましい。本実施形態では、図１Ａ及び図１Ｂに示すように、熱収縮チューブ６は、コンデンサ素子１の両端面と側面との境界部を被覆し、コンデンサ素子１の両端面の一部を被覆している。これにより、コンデンサ素子１の両端面と側面との境界部から蒸気などの水分やガスが侵入することを防ぐことができ、コンデンサ１０はより優れた耐湿性を有しうる。
【００６３】
コンデンサ１０は、更にバスバー（図示せず）を備えてもよい。一対のバスバーを、メタリコン電極２１，２２にそれぞれ接着して、メタリコン電極２１，２２と一対のバスバーとをそれぞれ電気的に接続することができる。バスバーは、特に限定されず、例えば銅や銅合金などが板状に形成されたものを用いることができる。バスバーをメタリコン電極２に接着する方法は、特に限定されず、例えば半田溶接、抵抗溶接、及び超音波溶接などによって接着することができる。なお、短絡防止の観点から、コンデンサ１０が金属箔４を有する場合、バスバーは、金属箔４と接触せず、バスバーと金属箔４とは電気的に絶縁されるように設けられる。
【００６４】
コンデンサ１０は、メタリコン電極２１，２２を被覆する樹脂封止材（図示せず）を備えてもよい。メタリコン電極２を樹脂封止材で被覆することで、外部電極２による吸湿をより防止しやすくなる。
【００６５】
樹脂封止材の材料は特に限定されず、メタリコン電極２よりも水蒸気などの水分やガスを透過させにくい樹脂材料であればよい。例えば、樹脂封止材の材料として、エポキシ樹脂等の熱硬化性樹脂を用いることができる。この場合、バスバーをメタリコン電極２に接着した後に、このような樹脂材料を、メタリコン電極２を被覆するよう塗布して硬化させることによって樹脂封止材を形成することができる。樹脂封止材の材料として熱硬化性樹脂を用いる場合、熱硬化性樹脂の硬化温度は１２０℃以下であることが好ましい。この場合、プリプレグを硬化させる際の熱によるコンデンサ素子１への影響を小さくすることができる。なお、樹脂に無機充填材、公知の硬化剤、及び触媒など添加した樹脂組成物を用いて樹脂不封止材を形成してもよい。
【００６６】
コンデンサ１０は、一対のメタリコン電極２１，２２を被覆する撥水層（図示せず）を備えてもよい。メタリコン電極２を撥水層で被覆することで、メタリコン電極２による吸湿を防止しやすくなる。
【００６７】
撥水層の材料は特に限定されず、メタリコン電極２よりも水蒸気などの水分やガスを透過させにくい材料を用いて撥水層を形成すればよい。例えば、フッ素系やシリコン系の撥水剤を用いて撥水層を形成することができる。この場合、バスバーをメタリコン電極２に接着した後に、メタリコン電極２を被覆するように撥水剤を塗布して乾燥させることによって撥水層を形成することができる。
【００６８】
３．態様
上記実施形態及び変形例から明らかなように、本開示は、下記の態様を含む。以下では、実施形態との対応関係を明示するためだけに、符号を括弧付きで付している。
【００６９】
第１の態様に係るコンデンサ（１０）は、コンデンサ素子（１）と、前記コンデンサ素子（１）の両端面に設けられた一対のメタリコン電極（２）と、を備え、前記一対のメタリコン電極（２）は、前記コンデンサ素子（１）の前記両端面と側面との境界部を被覆する。
【００７０】
第１の態様によれば、軽量化を実現するとともに、優れた耐湿性を有するコンデンサ（１０）を得ることができる。
【００７１】
第２の態様に係るコンデンサ（１０）では、第１の態様において、前記コンデンサ素子（１）は、本体（１１）と前記本体（１１）の側面の少なくとも一部を被覆する外装材（１２）と、を備え、前記外装材（１２）は、無延伸フィルムで形成される。
【００７２】
第２の態様によれば、メタリコン電極（２）とコンデンサ素子（１）との密着性を高めることができる。
【００７３】
第３の態様に係るコンデンサ（１０）は、第１又は第２の態様において、前記コンデンサ素子（１）の少なくとも一部を被覆する金属箔（４）を更に備える。
【００７４】
第３の態様によれば、コンデンサ素子（１）の表面からの吸湿をより防止しやすくなる。
【００７５】
第４の態様に係るコンデンサ（１０）は、第３の態様において、前記コンデンサ素子（１）と前記金属箔（４）との間に設けられる絶縁性保護材（５）を更に備える。
【００７６】
第４の態様によれば、コンデンサ素子（１）の表面からの吸湿をより防止しやすくなるとともに、短絡を防ぎやすくなる。
【００７７】
第５の態様に係るコンデンサ（１０）では、第４の態様において、前記絶縁性保護材（５）は、絶縁性フィルム、ガスバリアフィルム、及びプリプレグの硬化物からなる群から選択される少なくとも一種を含む。
【００７８】
第５の態様によれば、コンデンサ素子（１）の表面からの吸湿をより防止しやすくなる。
【００７９】
第６の態様に係るコンデンサ（１０）は、第３から第５のいずれか一つの態様において、前記金属箔（４）の少なくとも一部を被覆する熱収縮チューブ（６）を更に備える。
【００８０】
第６の態様によれば、コンデンサ（１０）の耐湿性を更に高めることができる。
【００８１】
第７の態様に係るコンデンサ（１０）の製造方法は、コンデンサ素子（１）の両端面に、前記コンデンサ素子（１）の前記両端面と側面との境界部を被覆する一対のメタリコン電極（２）を形成する工程を含む。
【００８２】
第７の態様によれば、軽量化を実現するとともに、優れた耐湿性を有するコンデンサ（１０）を得ることができる。
【００８３】
第８の態様に係るコンデンサ（１０）の製造方法では、第７の態様において、コンデンサ素子（１）は本体（１１）と外装材（１２）とを備え、前記本体（１１）の側面の少なくとも一部を前記外装材（１２）で被覆する工程を更に含む。
【００８４】
第８の態様によれば、メタリコン電極（２）とコンデンサ素子（１）との密着性を高めることができる。
【００８５】
第９の態様に係るコンデンサ（１０）の製造方法では、第８の態様において、前記外装材（１２）は、無延伸フィルムで形成される。
【００８６】
第９の態様によれば、メタリコン電極（２）とコンデンサ素子（１）との密着性を高めることができる。
【００８７】
第１０の態様に係るコンデンサ（１０）の製造方法は、第８の態様において、前記外装材（１２）を粗化する工程を更に含む。
【００８８】
第１０の態様によれば、メタリコン電極（２）とコンデンサ素子（１）との密着性を高めることができる。
【符号の説明】
【００８９】
１０    コンデンサ
１      コンデンサ素子
１１    本体
１２    外装材
２      メタリコン電極
４      金属箔
５      絶縁性保護材
６      熱収縮チューブ
【図１】
2020136518.tif 000003
【図２】
2020136518.tif 000004